(57)【要約】ケーブルを共通化でき、またケーブルの不要な露出を防ぐことができるレンズ装置、及びそのようなレンズ装置を備える撮像装置を提供することを目的とする。本発明の実施形態に係るレンズ装置は、撮像装置本体に交換可能に装着されるレンズ装置であって、レンズ鏡筒と、レンズ鏡筒上に設けられた制御ユニットと、制御ユニットに一端が装着され撮像装置本体に他端が接続されるケーブルと、ケーブルが巻回されて収納される収納部であって、ケーブルを引き出すための開口が設けられた収納部と、を備え、ケーブルはレンズ鏡筒の周方向に収納され、ケーブルが収納される長さを変更することで、ケーブルの開口からの引き出し長さが変更される。
2014050333.tif 000002
【特許請求の範囲】
【請求項１】
撮像装置本体に交換可能に装着されるレンズ装置であって、
レンズ鏡筒と、
前記レンズ鏡筒上に設けられた制御ユニットと、
前記制御ユニットに一端が装着され前記撮像装置本体に他端が接続されるケーブルと、
前記ケーブルが収納される収納部であって、前記ケーブルを引き出すための開口が設けられた収納部と、
を備え、
前記ケーブルは前記レンズ鏡筒の周方向に収納され、
前記ケーブルが収納される長さを変更することで前記ケーブルの前記開口からの引き出し長さが変更される、
レンズ装置。
【請求項２】
前記収納部は、前記レンズ鏡筒に着脱可能なリング部材であって装着時には中心が前記レンズ鏡筒の光軸と一致するリング部材を備え、
前記リング部材を構成する径の異なる内壁リングと外壁リングとの間に前記ケーブルが収納され、
前記外壁リングに前記開口が設けられて前記ケーブルが引き出される、
請求項１に記載のレンズ装置。
【請求項３】
前記リング部材は、前記レンズ鏡筒と前記レンズ装置を撮像装置本体に装着するためのマウント部材との間に装着される、請求項１又は２に記載のレンズ装置。
【請求項４】
前記ケーブルは長さ規制部材を備え、前記長さ規制部材は前記開口に嵌合される、請求項１から３のいずれかに規制のレンズ装置。
【請求項５】
前記長さ規制部材は前記開口を挟む２つのフランジを有する、請求項４に記載のレンズ装置。
【請求項６】
前記収納部は前記レンズ鏡筒の光軸方向の一部に形成された、他の部分よりも径が細い凹部である、請求項１に記載のレンズ装置。
【請求項７】
前記凹部に着脱可能なカバーを備え、前記カバーを外すと前記ケーブルが露出する、請求項６に記載のレンズ装置。
【請求項８】
前記凹部において前記レンズ鏡筒の周方向に形成された、前記ケーブルの引き回し用ガイド部材を備える、請求項６又は７に記載のレンズ装置。
【請求項９】
前記制御ユニットはアイリス制御ユニットであり、前記ケーブルはアイリスケーブルである、請求項１から８のいずれかに記載のレンズ装置。
【発明の詳細な説明】
【技術分野】
【０００１】
本発明は、撮像装置に交換可能に装着されるレンズ装置に関し、特にレンズ装置のケーブルを収納する技術に関する。
【背景技術】
【０００２】
撮像装置本体に交換可能に取り付けられるタイプのレンズ装置は、様々な種類の撮像装置本体に対応できることが好ましい。しかしながら、レンズ装置には撮像装置本体との間でフォーカス、ズーム又はアイリス等の制御用信号を送受信するためのケーブルが設けられているものがあり、このようなタイプのレンズ装置を様々な種類の撮像装置本体に取り付けようとしたとき、撮像装置本体の構成によってケーブルの接続位置が異なる場合がある。すなわち、必要なケーブルの長さが撮像装置本体の構成によって異なる場合がある。【０００３】
このような状況に対応するために、撮像装置本体の構成に合わせて長いケーブルのレンズ装置と短いケーブルのレンズ装置とを作り分けることが考えられるが、それでは各モデルに対し専用のケーブルが必要になり、コストや在庫が増加してしまう。また、長いケーブルのレンズ装置のみで短いケーブルの場合にも対応することも考えられるが、例えば監視カメラのような撮像装置ではケーブルの露出やたるみが多いといたずらで壊されるおそれがありまた体裁もよくないため、ケーブルの露出はできるだけ短くすることが好ましい。【０００４】
このような点を考慮し、例えば特許文献１ではケーブルの引き出し位置を工夫すると共に接続部分にカバーを設けるようにした監視用カメラが記載されている。また、特許文献２では、撮像装置本体側にケーブルを巻き取る機構を設け、ケーブルがたるまないようにしている。
【先行技術文献】
【特許文献】
【０００５】
【特許文献１】特開平９−２００５８６号公報
【特許文献２】特開２００８−１１２６７８号公報
【発明の概要】
【発明が解決しようとする課題】
【０００６】
しかしながら、上記特許文献１及び２に記載されるような従来の技術は、撮像装置本体の構成に起因したレンズ装置のケーブルへの要求に十分に対応できるものではなかった。例えば、特許文献１に記載の技術ではケーブル長さの異なるレンズ装置を撮像装置本体の構成に合わせて複数用意しておく必要があり、またレンズ装置に長いケーブルを設けて複数の撮像装置に対応させようとするとケーブルの露出が長くなってしまう。一方、特許文献２に記載の技術では撮像装置本体側にケーブル巻き取り構造を設けているのでレンズ装置のケーブル接続部分（コネクタ）の構成に対する制約が生じ、またそのような特定の構造を有する撮像装置本体との組み合わせでなければ使用できないという問題がある。【０００７】
本発明はこのような事情に基づいてなされたもので、ケーブルを共通化でき、またケーブルの不要な露出を防ぐことができるレンズ装置を提供することを目的とする。
【課題を解決するための手段】
【０００８】
上記目的を達成するため、本発明の第１の態様に係るレンズ装置は、撮像装置本体に交換可能に装着されるレンズ装置であって、レンズ鏡筒と、レンズ鏡筒上に設けられた制御ユニットと、制御ユニットに一端が装着され撮像装置本体に他端が接続されるケーブルと、ケーブルが収納される収納部であって、ケーブルを引き出すための開口が設けられた収納部と、を備え、ケーブルはレンズ鏡筒の周方向に収納され、ケーブルが収納される長さを変更することでケーブルの開口からの引き出し長さが変更される。【０００９】
第１の態様ではケーブルが周方向に収納されるので、収納される長さを調整することでケーブルの引き出し長さを変更することができる。したがって引き出し長さが長い場合は収納長さを少なくし逆に引き出し長さが長い場合は収納長さを多くすることで、撮像装置の構成により必要なケーブル長が異なる場合でも対応することができる。これにより複数種類分のケーブル起型をすることなくショートケーブルとロングケーブルの使い分け（ケーブルの共通化）が可能となり、レンズ装置を引き出し長さの異なる複数種類のモデルに作り分けることができる。また、収納長さを変更することで引き出し長さを調整できるので、ケーブルの不要な露出を防ぐことができ、良好な体裁を確保しつついたずら防止を図ることができる。【００１０】
第１の態様において収納部にケーブルを収納する形態としては、ケーブルを周方向に巻回して収納するようにしてもよいし、ケーブルを蛇行させあるいは折り返して収納するようにしてもよい。ここで巻回や蛇行、折り返しの長さや回数等は、ケーブルの引き出し長さに合わせて決めればよい。【００１１】
なお第１の態様において「制御ユニット」には、レンズ装置に含まれるズームレンズ、フォーカスレンズ又はアイリス等を制御するための制御ユニット（例えば、モータやガルバノメータ等）が含まれる。【００１２】
本発明の第２の態様に係るレンズ装置は第１の態様において、収納部は、レンズ鏡筒に着脱可能なリング部材であって装着時には中心がレンズ鏡筒の光軸と一致するリング部材を備え、リング部材を構成する径の異なる内壁リングと外壁リングとの間にケーブルが収納され、外壁リングに開口が設けられてケーブルが引き出される。第２の態様では内壁リングと外壁リングとの間におけるケーブルの収納長さを変更することで（例えば巻回や蛇行、折り返しの長さや回数等を変更することで）、開口からのケーブルの引き出し長さを調整することができ、また外壁リングによりケーブルの収納部分が露出するのを防止することができる。【００１３】
本発明の第３の態様に係るレンズ装置は第１又は第２の態様において、リング部材は、レンズ鏡筒とレンズ装置を撮像装置本体に装着するためのマウント部材との間に装着される。第３の態様はリング部材装着の一態様を規定するものである。【００１４】
本発明の第４の態様に係るレンズ装置は第１から第３の態様のいずれかにおいて、ケーブルは長さ規制部材を備え、長さ規制部材は開口に嵌合される。第４の態様ではケーブルが長さ規制部材を備えることで、引き出し長さの調整及び変動防止を可能にしている。このような長さ規制部材は１又は複数設けることができ、長さ規制部材を開口に嵌合させることで、長さ規制部材の数に応じてケーブルの引き出し長さを段階的に調節することができる。例えば２カ所に設けられた長さ規制部材のいずれかを開口に嵌合させることで、ケーブルの引き出し長さを２段階に調節することができる。【００１５】
本発明の第５の態様に係るレンズ装置は第４の態様において、長さ規制部材は開口を挟む２つのフランジを有する。第５の態様ではこれらのフランジにより、長さ規制部材を開口に嵌合してケーブルの引き出し長さを固定することができる。【００１６】
本発明の第６の態様に係るレンズ装置は第１の態様において、収納部はレンズ鏡筒の光軸方向の一部に形成された、他の部分よりも径が細い凹部である。レンズ装置の種類によっては鏡筒後部で光束が絞られ径が細くなるものがあり、第６の態様ではこのようなレンズ鏡筒の径が細い部分にケーブルを収納することで、収納部の径が大きくなるのを防止している。【００１７】
本発明の第７の態様に係るレンズ装置は第６の態様において、凹部に着脱可能なカバーを備え、カバーを外すとケーブルが露出する。第７の態様のように着脱可能なカバーを備えた構成とすることにより、ケーブル収納長さの変更及びこれによるケーブル引き出し長さの設定を容易に行うことができる。例えば、カバーを外し収納部内に収納されていたケーブルを伸ばして開口から引き出すことで引き出し長さを長くすることができ、また収納部内での収納長さを長くすることでケーブルの引き出し長さを短くすることができる。【００１８】
本発明の第８の態様に係るレンズ装置は第６又は第７の態様において、凹部においてレンズ鏡筒の周方向に形成された、ケーブルの引き回し用ガイド部材を備える。第８の態様では、ガイド部材により凹部におけるケーブルの位置決めを行いケーブルを安定して収納することができる。【００１９】
本発明の第９の態様に係るレンズ装置は第１から第８の態様のいずれかにおいて、制御ユニットはアイリス制御ユニットであり、ケーブルはアイリスケーブルである。監視カメラ等の撮像装置は通常一定の方向及び距離を撮影するようになっているためズームやフォーカスは撮像装置の設置時に固定することが多いが、そのような場合でも撮影場所の明るさ及びその変化に応じてアイリスを制御するために、レンズ装置にアイリス制御ユニットを設けていることがある。第９の態様はそのようなアイリス制御ユニットを備えるレンズ装置を規定するものである。
【発明の効果】
【００２０】
上述のように本発明に係るレンズ装置及び撮像装置によれば、ケーブルを共通化でき、またケーブルの不要な露出を防ぐことができる。
【図面の簡単な説明】
【００２１】
【図１】本発明の第１の実施形態に係るレンズ装置を示す図である。
【図２】本発明の第１の実施形態に係るレンズ装置を示し、アイリスメータ１２０が取り付けられた様子を示す図である。
【図３】図１に示すレンズ装置において、リング部材内でのアイリスケーブルの巻回の様子を示す図である。
【図４】図１に示すレンズ装置において、リング部材及びマウント部材部分の断面図である。
【図５】図１に示すレンズ装置において、リング部材内でのアイリスケーブルの巻回の様子を示す他の図である。
【図６】図１に示すレンズ装置において、アイリスケーブルの引き出し長さを長くした状態を示す図である。
【図７】アイリスケーブルにケーブルブッシュを設けて開口と嵌合させた状態を示す図であり、巻回量を多くして引き出し長さを短くした状態を示す図である。
【図８】アイリスケーブルにケーブルブッシュを設けて開口と嵌合させた状態を示す他の図であり、巻回量を少なくして引き出し長さを長くした状態を示す図である。
【図９】アイリスケーブルにケーブルブッシュを設けて開口と嵌合させた状態を示すさらに他の図であり、アイリスメータカバーをつけた状態を示す図である。
【図１０】図１に示すレンズ装置において、アイリスケーブルの引き出し長さを長くした状態を示す外観図である。
【図１１】本発明の第２の実施形態に係るレンズ装置を示す図である。
【図１２】図１１に示すレンズ装置において、カバーを外した状態を示す図である。
【図１３】図１１に示すレンズ装置においてカバーを外した状態を示す他の図であり、図１２とは異なる方向から見た状態を示す図である。
【図１４】図１３に示すレンズ装置においてアイリスケーブルを巻回した状態を示す図である。
【図１５】図１１に示すレンズ装置においてアイリスケーブル引き出し用の開口が形成される状態を示す図である。
【図１６】図１１に示すレンズ装置においてアイリスケーブルの引き出し長さを長くした状態を示す図である。
【発明を実施するための形態】
【００２２】
＜第１の実施形態＞
＜レンズ装置の構成＞
以下、添付図面に従って本発明に係るレンズ装置を実施するための形態について詳細に説明する。図１は本発明の第１の実施形態に係る監視カメラ用レンズ装置１００（レンズ装置）を示す図である。図１に示すように、本実施形態に係るレンズ装置１００は、レンズ鏡筒１１０（レンズ鏡筒）と、リング部材１３０（収納部）と、アイリスケーブル１４０（ケーブル、アイリスケーブル）と、マウント部材１５０（マウント部材）と、を備えており、詳細を後述するようにリング部材１３０とマウント部材１５０とで形成される開口１３６からアイリスケーブル１４０が引き出される。レンズ装置１００は、監視カメラ本体（撮像装置本体）に交換可能に取り付けられて監視カメラ（撮像装置）を構成する。またレンズ装置１００は後述するようにアイリスメータ１２０を備え、アイリスメータカバー１２２によりアイリスメータ１２０及びアイリスメータ１２０とアイリスケーブル１４０の接続部分を覆っている。
【００２３】
レンズ鏡筒１１０はその内部に図示せぬ撮影レンズ、ズームレンズ、フォーカスレンズ、及びアイリスを備える。フォーカス調整用レバー１１２を図１のＸ−Ｙ方向に回動すると、図示せぬカム部材・カム溝等の機構によりフォーカスレンズが光軸Ｌ１の方向に前後移動してフォーカシングがなされる。なお、レンズ装置１００ではフォーカス調整用レバー１１２と同様にズーム調整用レバーを設けるようにしてもよい。またフォーカス・ズーム調整はレバーによらず調整用リングの回動により行うようにしてもよいし、フォーカス・ズーム調整用のモータを設けて監視カメラ本体からの信号により行うようにしてもよい。
【００２４】
また、図２に示すようにレンズ鏡筒１１０の外周には、光軸Ｌ１と直交する方向Ｌ２に突出してアイリスメータ１２０（制御ユニット、アイリス制御ユニット）が備えられている。アイリスメータ１２０は不図示のアイリスを駆動するためのもので、アイリスケーブル１４０の基端側がアイリスメータ１２０に接続され、先端側に設けられたコネクタ１４２を図示せぬ監視カメラ本体側のコネクタに接続することにより、監視カメラ本体から電力及び信号が供給されてアイリスメータ１２０によりアイリスが駆動される。
【００２５】
図３はレンズ装置１００におけるアイリスケーブル１４０の収納の様子を示す図である。図３の（Ａ）に示すようにリング部材１３０は径の異なる内壁リング１３２Ａ（収納部）と外壁リング１３２Ｂ（収納部）とを有しており、これらリングは光軸Ｌ１方向先端で接続され基端側は開放されていて、内壁リング１３２Ａと外壁リング１３２Ｂとの間に空間１３５（収納部）が形成される。また、外壁リング１３２Ｂには２カ所にＵ字型の切り欠き１３３Ａ，１３３Ｂ（開口）が設けられており、一方マウント部材１５０には切り欠き１３６Ａと対応する位置にケーブル押さえ用の突起１５２Ａ，１５２Ｂが設けられていて、リング部材１３０とマウント部材１５０とを結合すると、図３の（Ｂ）に示すように切り欠き１３３Ａ，１３３Ｂ及び突起１５２Ａ，１５２Ｂにより円形状の開口１３６Ａ，１３６Ｂ（開口）が形成される。アイリスケーブル１４０は一方の開口１３６Ａから空間１３５に導入され、空間１３５内で巻回されて他方の開口１３６Ｂから引き出される。
【００２６】
リング部材１３０は内壁リング１３２Ａの周方向に３カ所設けられたねじ穴１３４Ａを介してレンズ鏡筒１１０と結合され、同様にねじ穴１３４Ｂを介してマウント部材１５０と結合される。そしてこのマウント部材１５０を介して、レンズ装置１００と監視カメラ本体とが結合される。この状態で、リング部材１３０及びマウント部材１５０の中心は、レンズ装置１００の光軸Ｌ１と一致するようになっている。
【００２７】
図４は、レンズ鏡筒１１０とリング部材１３０とマウント部材１５０とが結合された状態における、図１のＡ−Ａ方向の断面図であり、アイリスケーブル１４０が空間１３５内で巻回された様子を示している。
【００２８】
＜ケーブル引き出し長さの調整＞
次に上記構成のレンズ装置１００におけるケーブル引き出し長さの調整の例について説明する。本実施形態では、まずリング部材１３０からマウント部材１５０を外した状態においてアイリスケーブル１４０を一方の開口１３６Ａから空間１３５に導入し、空間１３５内で約１周巻回して他方の開口１３６Ｂから引き出す。この状態が図３の（Ａ）に示す状態である。この状態で、リング部材１３０とマウント部材１５０とを切り欠き１３３Ａ，１３３Ｂと突起１５２Ａ，１５２Ｂとがそれぞれ対応するように嵌合させてねじ止めする。この状態が図３の（Ｂ）に示す状態であり、装置全体としては図１に示すようにアイリスケーブル１４０の引き出し長さが短い状態で固定される。
【００２９】
監視カメラ本体の構成（コネクタ位置等）によりアイリスケーブル１４０の引き出し長さを長くしたい場合は、図１の状態からマウント部材１５０を外し、一方の開口１３６Ａから導入されたアイリスケーブル１４０を他方の開口１３６Ｂから引き出す。この状態が図５に示す状態である。そして図５に示す状態でリング部材１３０とマウント部材１５０とを切り欠き１３３Ａ，１３３Ｂと突起１５２Ａ，１５２Ｂとがそれぞれ対応するように嵌合させてねじ止めすると、図６に示すようにアイリスケーブル１４０の引き出し長さが長い状態で固定される。
【００３０】
このように、第１の実施形態に係るレンズ装置１００では監視カメラ本体の構成に応じてアイリスケーブル１４０の引き出し長さを調節できるので、ケーブルを共通化することができる。また、ケーブルの引き出し長さが短い場合は、リング部材１３０内でのアイリスケーブル１４０の巻回を多くすることでリング部材１３０外へのアイリスケーブル１４０の露出を最小限に抑えることができる。
【００３１】
なお本実施形態において、アイリスケーブル１４０に長さ規制部材を設け開口１３６と嵌合させることで、アイリスケーブルを安定的に固定・収納するようにしてもよい。図７はそのような長さ規制部材としてのケーブルブッシュ（長さ規制部材）を設けたアイリスケーブル１４０’（ケーブル、アイリスケーブル）がリング部材１３０内に巻回・収納された状態を示す図であり、図３の（Ａ）に示す状態に対応している。図７に示すようにアイリスケーブル１４０’には３つのケーブルブッシュ１４４Ａ，１４４Ｂ，１４４Ｃ（長さ規制部材）が設けられており、各ケーブルブッシュは２つのフランジを有していて、これらフランジが開口を挟むようになっている。具体的には一方の開口１３６Ａにケーブルブッシュ１４４Ａが嵌合され、他方の開口１３６Ｂにケーブルブッシュ１４４Ｃが嵌合されている。アイリスケーブル１４０’の引き出し長さを長くするには、上述した手順と同様にして図８，図９（カバー１２２を取り付けた状態）に示すように一方の開口１３６Ａにケーブルブッシュ１４４Ａを嵌合させ、他方の開口１３６Ｂにケーブルブッシュ１４４Ｂを嵌合させる。この状態での装置全体の様子を図１０に示す。このようにしてケーブルブッシュを１４４Ａ，１４４Ｂ，１４４Ｃを開口１３６に嵌合させることで、アイリスケーブル１４０’を安定的に固定・収納することができ、アイリスケーブル１４０’のいたずら等による意図せぬ引き出しやこれによる損傷を防止することができる。
【００３２】
＜第２の実施形態＞
次に、本発明に係るレンズ装置の他の実施形態について説明する。図１１は第２の実施形態に係るレンズ装置１００’を示す図である。なお以下の説明において、図１〜１０と同じ構成の要素には共通の符号を付し、その説明を省略する。
【００３３】
図１１に示すように本実施の形態に係るレンズ装置１００’はレンズ鏡筒１１０’（レンズ鏡筒）を備えており、監視カメラ本体（撮像装置本体）に交換可能に取り付けられて監視カメラ（撮像装置）を構成する。またレンズ装置１００’はレンズ装置１００と同様のアイリスメータ１２０（図１１では図示を省略する）を備え、カバー１２２’によりアイリスメータ１２０及びアイリスメータ１２０とアイリスケーブル１４０” （ケーブル、アイリスケーブル）との接続部分を覆っている。
【００３４】
第１の実施形態に係るレンズ装置１００ではリング部材１３０内の空間１３５のアイリスケーブル１４０を巻回し収納していたが、本実施形態に係るレンズ装置１００’では図１２に示すようにレンズ鏡筒１１０’の光軸方向の一部に他の部分よりも径が細い凹部１７０（収納部、凹部）を設け、この凹部１７０にアイリスケーブル１４０”を折り返すように巻回し収納している。図１０に示すようにレンズ装置１００’では凹部１７０内にレンズ鏡筒１１０’の周方向にガイド部材１７２（収納部、ガイド部材）が形成されており、ガイド部材１７２に沿って引き回すことでアイリスケーブル１４０”を安定的に収納できるようになっている。凹部１７０には、着脱可能な凹部カバー１７４（収納部、カバー）がねじ止めされ、凹部カバー１７４を外すと凹部１７０に巻回・収納されたアイリスケーブル１４０”が露出するようになっている。なお、図１３及び１４にレンズ装置１００’を図１１，１２と反対方向から見た図を示す。
【００３５】
また、図１５に示すようにアイリスメータカバー１２２’には切り欠き１７６Ａが形成され、凹部１７０、凹部カバー１７４にはそれぞれ切り欠き１７６Ｂ，１７６Ｃ（開口）が形成されていて、凹部カバー１７４を凹部１７０に装着すると切り欠き１７６Ａ，１７６Ｂ，１７６Ｃが開口を形成する。この本実施形態に係るレンズ装置１００’ではこの開口からアイリスケーブル１４０”が引き出される。アイリスケーブル１４０”には上述したアイリスケーブル１４０’と同様に２つのフランジを有するケーブルブッシュ１４４Ａ’，１４４Ｂ’が設けられており、これらケーブルブッシュが上記開口に嵌合されてアイリスケーブル１４０”の引き出し長さが固定される。
【００３６】
上記構成のレンズ装置１００’においてもレンズ装置１００と同様に、アイリスケーブル１４０”の引き出し長さを調整することができる。具体的には、引き出し長さを短くしたい場合は図１２に示すように、アイリスケーブル１４０”をガイド部材１７２に沿わせて凹部１７０内で折り返すように巻回し、ケーブルブッシュ１４４Ａ’を切り欠き１７６Ａに嵌合させて凹部カバー１７４を装着する。一方、引き出し長さを長くしたい場合は図１６に示すようにアイリスケーブル１４０”を凹部１７０内で折り返さず、ケーブルブッシュ１４４Ｂ’を切り欠き１７６Ａ，１７６Ｂに嵌合させて凹部カバー１７４を装着すればよい。
【００３７】
このように本実施形態に係るレンズ装置１００’では、上記第１の実施形態に係るレンズ装置１００と同様に監視カメラ本体の構成に応じてアイリスケーブル１４０”の引き出し長さを調節できるので、ケーブルを共通化することができ、またアイリスケーブル１４０”の露出を最小限に抑えることができる。
【００３８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００３９】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００４０】
１００，１００’…レンズ装置、１１０，１１０’…レンズ鏡筒、１１２…フォーカス調整用レバー、１２０…アイリスメータ、１２２，１２２’…アイリスメータカバー、１３０…リング部材、１３２Ａ…内壁リング、１３２Ｂ…外壁リング、１３３Ａ，１３３Ｂ…切り欠き、１３４Ａ，１３４Ｂ…ねじ穴、１３５…空間、１３６…開口、１４０，１４０’…アイリスケーブル、１４２…コネクタ、１４４Ａ，１４４Ｂ，１４４Ｃ，１４４Ａ’，１４４Ｂ’…ケーブルブッシュ、１７０…凹部、１７２…ガイド部材、１７４…凹部カバー、１７６Ａ，１７６Ｂ…切り欠き
【図１】
2014050333.tif 000003
【図２】
2014050333.tif 000004
【図３】
2014050333.tif 000005
【図４】
2014050333.tif 000006
【図５】
2014050333.tif 000007
【図６】
2014050333.tif 000008
【図７】
2014050333.tif 000009
【図８】
2014050333.tif 000010
【図９】
2014050333.tif 000011
【図１０】
2014050333.tif 000012
【図１１】
2014050333.tif 000013
【図１２】
2014050333.tif 000014
【図１３】
2014050333.tif 000015
【図１４】
2014050333.tif 000016
【図１５】
2014050333.tif 000017
【図１６】
2014050333.tif 000018
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
撮像装置本体に交換可能に装着されるレンズ装置であって、
レンズ鏡筒と、
前記レンズ鏡筒上に設けられた制御ユニットと、
前記制御ユニットに一端が装着され前記撮像装置本体に他端が接続されるケーブルと、
前記ケーブルが収納される収納部であって、前記ケーブルを引き出すための開口が設けられた収納部と、
を備え、
前記ケーブルは前記レンズ鏡筒の周方向に収納され、
前記ケーブルが収納される長さを変更することで前記ケーブルの前記開口からの引き出し長さが変更され、
前記収納部は、前記レンズ鏡筒に着脱可能なリング部材であって装着時には中心が前記レンズ鏡筒の光軸と一致するリング部材を備え、
前記リング部材を構成する径の異なる内壁リングと外壁リングとの間に前記ケーブルが収納され、
前記外壁リングに前記開口が設けられて前記ケーブルが引き出される、
レンズ装置。
【請求項２】
前記リング部材は、前記レンズ鏡筒と前記レンズ装置を撮像装置本体に装着するためのマウント部材との間に装着される、請求項１に記載のレンズ装置。
【請求項３】
前記ケーブルは長さ規制部材を備え、前記長さ規制部材は前記開口に嵌合される、請求項１または２に規制のレンズ装置。
【請求項４】
前記長さ規制部材は前記開口を挟む２つのフランジを有する、請求項３に記載のレンズ装置。
【請求項５】
前記収納部は前記レンズ鏡筒の光軸方向の一部に形成された、他の部分よりも径が細い凹部である、請求項１に記載のレンズ装置。
【請求項６】
前記凹部に着脱可能なカバーを備え、前記カバーを外すと前記ケーブルが露出する、請求項５に記載のレンズ装置。
【請求項７】
前記凹部において前記レンズ鏡筒の周方向に形成された、前記ケーブルの引き回し用ガイド部材を備える、請求項５又は６に記載のレンズ装置。
【請求項８】
前記制御ユニットはアイリス制御ユニットであり、前記ケーブルはアイリスケーブルである、請求項１から７のいずれか１項に記載のレンズ装置。
【国際調査報告】
2014050333.tif 000019
2014050333.tif 000020
2014050333.tif 000021
2014050333.tif 000022